(57)【要約】      （修正有）【課題】取り付け及び取り外しが容易であり、かつ、取り付けられた状態でもスタート台の天板を使用可能な背泳用スタート補助装置を提供する。【解決手段】プールＰのスタート台Ｓ１の矩形状の天板Ｓ２に取り付けられて使用される背泳者のスタートを補助するための背泳用スタート補助装置１である。天板Ｓ２の後方部分に取り付け可能な取付ブラケット２と、取付ブラケット２に、連結手段３を介して着脱自在に固定されるフレーム枠４とを含んでいる。フレーム枠４は、天板Ｓ２に取り付けられた取付ブラケット２に固定されたときに、天板Ｓ２の幅方向の両外側に配置される一対の端部分４ａを含んでいる。端部分４ａには、変形自在な一対の吊り部材７を介して、横長の踏み板８が連結されている。取付ブラケット２は、天板Ｓ２を上下方向に挟み込み可能な第１取付手段と、天板Ｓ２の縁を前後方向に挟み込み可能な第２取付手段とを含んでいる。【選択図】図１
0003222841.tif 000002
【実用新案登録請求の範囲】
【請求項１】
プールのスタート台の矩形状の天板に取り付けられて使用される背泳者のスタートを補助するための背泳用スタート補助装置であって、
前記天板の後方部分に取り付け可能な取付ブラケットと、前記取付ブラケットに、連結手段を介して着脱自在に固定されるフレーム枠とを含み、
前記フレーム枠は、前記天板に取り付けられた前記取付ブラケットに固定されたときに、前記天板の幅方向の両外側に配置される一対の端部分を含み、
前記端部分には、変形自在な一対の吊り部材を介して、横長の踏み板が連結されており、
前記取付ブラケットは、前記天板を上下方向に挟み込み可能な第１取付手段と、前記天板の縁を前後方向に挟み込み可能な第２取付手段とを含む、
背泳用スタート補助装置。
【請求項２】
前記取付ブラケットは、前記天板の縁に装着可能な断面コ字状の第１ブラケットを含み、
前記第１取付手段は、前記第１ブラケットの第１ネジ孔に取り付けられ、かつ、前記取付ブラケットが前記天板に取り付けられたときに、前記天板の縁の下方から締め付け可能な一対の第１ボルトを含む、請求項１に記載の背泳用スタート補助装置。
【請求項３】
前記取付ブラケットは、断面Ｌ字状の第２ブラケットを含み、
前記第２取付手段は、前記第１ブラケットと前記第２ブラケットとを締め付け可能な一対の第２ボルトを含む、請求項２に記載の背泳用スタート補助装置。
【請求項４】
前記連結手段は、一対のピンである、請求項１ないし３のいずれかに記載の背泳用スタート補助装置。
【請求項５】
前記フレーム枠は、前記天板に取り付けられた前記取付ブラケットに固定されたときに、前記天板の後方に配置される後部フレームを含み、
前記連結手段は、前記取付ブラケットと前記後部フレームとを固定する、請求項１ないし４のいずれかに記載の背泳用スタート補助装置。
【請求項６】
前記フレーム枠は、前記天板に取り付けられた前記取付ブラケットに固定されたときに、前記天板の左右両側に配置される一対の側部フレームを含み、
前記側部フレームは、前記天板に接して前記端部分を支持する支持手段を含む、請求項１ないし５のいずれかに記載の背泳用スタート補助装置。
【請求項７】
前記側部フレームのそれぞれには、前記吊り部材が連結される位置決め部材が設けられる、請求項６に記載の背泳用スタート補助装置。
【請求項８】
前記位置決め部材は、前記側部フレームに対する位置を変更可能である、請求項７に記載の背泳用スタート補助装置。
【請求項９】
前記支持手段は、前記天板の上面側に接する上面支持部と、前記天板の下面側に接する下面支持部とを含み、
前記下面支持部は、前記側部フレームからの突出量が変更可能である、請求項６ないし８のいずれかに記載の背泳用スタート補助装置。
【考案の詳細な説明】
【技術分野】
【０００１】
本考案は、背泳者のスタートを補助するための背泳用スタート補助装置に関する。
【背景技術】
【０００２】
従来、背泳者のスタートを補助するための背泳用スタート補助装置が提案されている。下記特許文献１の背泳用スタート補助装置は、スタート台の天板に取り付けられた状態であっても、そのままスタート台の天板を使用することができる。このため、特許文献１の背泳用スタート補助装置が、練習用プールのスタート台に取り付けられていても、自由形等の泳者は、スタート台の天板からスタート（飛び込み）することができる。
【先行技術文献】
【特許文献】
【０００３】
【特許文献１】特開２０１６−１２０１７７号公報
【考案の開示】
【考案が解決しようとする課題】
【０００４】
特許文献１の背泳用スタート補助装置は、一体構造であったため、その全体がスタート台の天板に強固に取り付けられていた。このため、特許文献１の背泳用スタート補助装置をスタート台の天板から取り外すには、多くの労力を必要とした。
【０００５】
本考案は、以上のような実状に鑑み案出されたもので、フレーム枠が、取付ブラケットに、連結手段を介して着脱自在に固定されることを基本として、取り付け及び取り外しが容易であり、かつ、取り付けられた状態でもスタート台の天板を使用可能な背泳用スタート補助装置を提供することを主たる目的としている。
【課題を解決するための手段】
【０００６】
本考案は、プールのスタート台の矩形状の天板に取り付けられて使用される背泳者のスタートを補助するための背泳用スタート補助装置であって、前記天板の後方部分に取り付け可能な取付ブラケットと、前記取付ブラケットに、連結手段を介して着脱自在に固定されるフレーム枠とを含み、前記フレーム枠は、前記天板に取り付けられた前記取付ブラケットに固定されたときに、前記天板の幅方向の両外側に配置される一対の端部分を含み、前記端部分には、変形自在な一対の吊り部材を介して、横長の踏み板が連結されており、前記取付ブラケットは、前記天板を上下方向に挟み込み可能な第１取付手段と、前記天板の縁を前後方向に挟み込み可能な第２取付手段とを含むことを特徴とする。
【０００７】
本考案に係る背泳用スタート補助装置において、前記取付ブラケットは、前記天板の縁に装着可能な断面コ字状の第１ブラケットを含み、前記第１取付手段は、前記第１ブラケットの第１ネジ孔に取り付けられ、かつ、前記取付ブラケットが前記天板に取り付けられたときに、前記天板の縁の下方から締め付け可能な一対の第１ボルトを含むのが望ましい。
【０００８】
本考案に係る背泳用スタート補助装置において、前記取付ブラケットは、断面Ｌ字状の第２ブラケットを含み、前記第２取付手段は、前記第１ブラケットと前記第２ブラケットとを締め付け可能な一対の第２ボルトを含むのが望ましい。
【０００９】
本考案に係る背泳用スタート補助装置において、前記連結手段は、一対のピンであるのが望ましい。
【００１０】
本考案に係る背泳用スタート補助装置において、前記フレーム枠は、前記天板に取り付けられた前記取付ブラケットに固定されたときに、前記天板の後方に配置される後部フレームを含み、前記連結手段は、前記取付ブラケットと前記後部フレームとを固定するのが望ましい。
【００１１】
本考案に係る背泳用スタート補助装置において、前記フレーム枠は、前記天板に取り付けられた前記取付ブラケットに固定されたときに、前記天板の左右両側に配置される一対の側部フレームを含み、前記側部フレームは、前記天板に接して前記端部分を支持する支持手段を含むのが望ましい。
【００１２】
本考案に係る背泳用スタート補助装置において、前記側部フレームのそれぞれには、前記吊り部材が連結される位置決め部材が設けられるのが望ましい。
【００１３】
本考案に係る背泳用スタート補助装置において、前記位置決め部材は、前記側部フレームに対する位置を変更可能であるのが望ましい。
【００１４】
本考案に係る背泳用スタート補助装置において、前記支持手段は、前記天板の上面側に接する上面支持部と、前記天板の下面側に接する下面支持部とを含み、前記下面支持部は、前記側部フレームからの突出量が変更可能であるのが望ましい。
【考案の効果】
【００１５】
本考案の背泳用スタート補助装置は、天板の後方部分に取り付け可能な取付ブラケットと、取付ブラケットに、連結手段を介して着脱自在に固定されるフレーム枠とを含んでいる。このような背泳用スタート補助装置は、取付ブラケットとフレーム枠との分割構造が採用されているので、天板に取付ブラケットを残したまま、フレーム枠を容易に取り外すことができる。また、このフレーム枠は、取付ブラケットに再び取り付けることも容易に行うことができる。
【００１６】
本考案の背泳用スタート補助装置において、フレーム枠は、天板に取り付けられた取付ブラケットに固定されたときに、天板の幅方向の両外側に配置される一対の端部分を含み、端部分には、変形自在な一対の吊り部材を介して、横長の踏み板が連結されている。このため、背泳者は、踏み板に足裏を当てて、かつ、強く蹴り出すことにより、勢いよくスタートすることができる。
【００１７】
また、この背泳用スタート補助装置は、スタート台に背泳用スタート補助装置が取り付けられた状態でも、スタート台の天板を使用することが可能である。したがって、自由形等の泳者は、この背泳用スタート補助装置が練習用プールのスタート台に取り付けられている状態であっても、スタート台の天板からスタート（飛び込み）することができる。
【００１８】
本考案の背泳用スタート補助装置において、取付ブラケットは、天板を上下方向に挟み込み可能な第１取付手段と、天板の縁を前後方向に挟み込み可能な第２取付手段とを含んでいる。このような取付ブラケットは、上下方向及び前後方向に強固に固定されているので、取付ブラケットに固定されたフレーム枠に外力が作用したとしても、取付ブラケット及びフレーム枠が動くおそれがない。
【図面の簡単な説明】
【００１９】
【図１】本考案の背泳用スタート補助装置の一実施形態を示す斜視図である。
【図２】背泳用スタート補助装置の平面図である。
【図３】図２のＡ−Ａ線の断面図である。
【図４】取付ブラケットの分解斜視図である。
【図５】取付ブラケットとフレーム枠との連結部分の拡大斜視図である。
【図６】フレーム枠の斜視図である。
【図７】図２のＢ−Ｂ線の断面図である。
【図８】開放状態の位置決め部材を示す断面図である。
【図９】踏み板の分解斜視図である。
【図１０】他の実施形態の背泳用スタート補助装置を示す斜視図である。
【考案を実施するための最良の形態】
【００２０】
以下、本考案の実施の一形態が図面に基づき説明される。
図１は、本考案の背泳用スタート補助装置１の一実施形態がスタート台Ｓ１に装着された状態の斜視図である。図１に示されるように、本実施形態の背泳用スタート補助装置１は、プールＰのプールサイドＰＳに設けられたスタート台Ｓ１の略矩形状の天板Ｓ２に取り付けられて使用される。この背泳用スタート補助装置１は、背泳者のスタートを好適に補助するためのものである。
【００２１】
本実施形態の背泳用スタート補助装置１は、スタート台Ｓ１の天板Ｓ２の後方部分に取り付け可能な取付ブラケット２と、取付ブラケット２に、連結手段３を介して着脱自在に固定されるフレーム枠４とを含んでいる。
【００２２】
このような背泳用スタート補助装置１は、取付ブラケット２とフレーム枠４との分割構造が採用されているので、天板Ｓ２に取付ブラケット２を残したまま、フレーム枠４を容易に天板Ｓ２から取り外すことができる。また、このフレーム枠４は、取付ブラケット２に連結手段３を介して着脱自在に固定されているので、取付ブラケット２に再び取り付けることも容易に行うことができる。
【００２３】
ここで、本明細書では、背泳用スタート補助装置１がプールサイドＰＳに設けられたときのスタート台Ｓ１の天板Ｓ２のプール側を前方、その反対側を後方としている。また、天板Ｓ２に垂直な方向を上下方向としている。そして、これら前後方向と上下方向とに直交する方向を、幅方向としている。
【００２４】
図２は、背泳用スタート補助装置１の平面図である。図１及び図２に示されるように、取付ブラケット２は、左右方向の長さが、天板Ｓ２の幅方向の長さに略等しいか、やや小さいのが望ましい。このような取付ブラケット２は、天板Ｓ２から突出することなく、天板Ｓ２に強固に固定することができる。
【００２５】
図３は、図２のＡ−Ａ線の断面図である。図３に示されるように、本実施形態の取付ブラケット２は、天板Ｓ２を上下方向に挟み込み可能な第１取付手段５と、天板Ｓ２の縁Ｓ３を前後方向に挟み込み可能な第２取付手段６とを含んでいる。
【００２６】
このような取付ブラケット２は、上下方向及び前後方向に強固に固定されているので、取付ブラケット２に固定されたフレーム枠４に外力が作用したとしても、取付ブラケット２及びフレーム枠４が動くおそれがない。
【００２７】
図１ないし図３に示されるように、連結手段３は、例えば、一対のピン３Ａである。このような連結手段３は、ピン３Ａを上方から差し込むだけで取付ブラケット２とフレーム枠４との連結をすることができ、取付ブラケット２とフレーム枠４との連結及び連結解除を容易に行うことができる。
【００２８】
図１及び図２に示されるように、本実施形態のフレーム枠４は、天板Ｓ２に取り付けられた取付ブラケット２に固定されたときに、スタート台Ｓ１の天板Ｓ２の外側に配置されている。フレーム枠４は、天板Ｓ２の外周面を囲むように配置可能な大きさを有するのが望ましい。
【００２９】
このようなフレーム枠４は、天板Ｓ２の外側に配置されるため、背泳用スタート補助装置１がスタート台Ｓ１に取り付けられた状態でも、スタート台Ｓ１の天板Ｓ２の上面を実質的に全開放し、スタート台Ｓ１の天板Ｓ２を、使用可能とする。このため、自由形等の泳者は、背泳用スタート補助装置１が練習用プールのスタート台Ｓ１に取り付けられている状態であっても、スタート台Ｓ１の天板Ｓ２からスタート（飛び込み）することができる。
【００３０】
本実施形態のフレーム枠４は、天板Ｓ２に取り付けられた取付ブラケット２に固定されたときに、天板Ｓ２の幅方向の両外側に配置される一対の端部分４ａを含んでいる。フレーム枠４の端部分４ａには、例えば、変形自在な一対の吊り部材７を介して、横長の踏み板８が連結されている。このようなフレーム枠４は、踏み板８を安定して支持することができる。
【００３１】
各吊り部材７は、例えば、ナイロンベルトのように柔軟性があり、かつ、水に強い材料により構成される。このような吊り部材７は、水にぬれるような環境で長時間使用されても、劣化が少なく、高い耐久性を確保することができる。
【００３２】
本実施形態の踏み板８は、断面が三角形状の横長の形状を有しており、その長手方向の両端部を、吊り部材７の端部７Ｂ（図９に示す）に連結されている。これにより、踏み板８は、フレーム枠４に吊り下げられている。踏み板８は、例えば、吊り部材７の長さが調節されることにより、プールサイドＰＳの形状に関係なく、プールＰ内の予め定められた高さに位置させることができる。このため、背泳者は、踏み板８に足裏を当てて、かつ、強く蹴り出すことにより、勢いよくスタートすることができる。
【００３３】
本実施形態の背泳用スタート補助装置１は、以上のような基本構成要素を備えている。以下、各構成要素のより具体的な形状等が説明される。
【００３４】
図３に示されるように、取付ブラケット２は、例えば、金属材料により構成されている。本実施形態の取付ブラケット２は、天板Ｓ２の縁Ｓ３に装着可能な断面略コ字状の第１ブラケット９と、断面略Ｌ字状の第２ブラケット１０を含んでいる。このような取付ブラケット２は、強度及び耐久性に優れている。
【００３５】
図４は、取付ブラケット２の分解斜視図である。図３及び図４に示されるように、本実施形態の第１ブラケット９は、取付ブラケット２が天板Ｓ２に取り付けられたときに、天板Ｓ２の上方に位置する上板部９Ａと、天板Ｓ２の後方に位置する後板部９Ｂと、天板Ｓ２の縁Ｓ３の下方に位置する下板部９Ｃとを有している。
【００３６】
第１ブラケット９は、上板部９Ａ、後板部９Ｂ及び下板部９Ｃにより、断面略コ字状形状に構成されるのが望ましい。第１ブラケット９は、例えば、下板部９Ｃに、第１取付手段５が締結される一対の第１ネジ孔９ａが形成されている。また、第１ブラケット９は、下板部９Ｃの下方に、第２取付手段６が挿通されるネジ挿通孔９ｂが形成された一対の挿通部材９Ｄが設けられるのが望ましい。
【００３７】
図５は、取付ブラケット２とフレーム枠４との連結部分の拡大斜視図である。図３ないし図５に示されるように、取付ブラケット２の第１ブラケット９は、さらに、フレーム枠４を連結するための一対の連結部材９Ｅを有するのが望ましい。本実施形態の各連結部材９Ｅは、後板部９Ｂから後方へ向けて突出する一対の連結部９ｃを含む断面コ字状に形成されている。一対の連結部材９Ｅのそれぞれは、例えば、後板部９Ｂの幅方向の両側に設けられている。
【００３８】
図３に示されるように、各連結部９ｃの上下方向の間隔Ｌ１は、フレーム枠４の上下方向の長さＬ２に略等しいか、やや大きいのが望ましい。このような連結部材９Ｅは、フレーム枠４をスムーズに取り付けることができ、また、取り付けられたフレーム枠４に外力が作用したとしても、フレーム枠４が動くおそれが少ない。
【００３９】
図３ないし図５に示されるように、本実施形態の各連結部９ｃには、連結手段３を挿通可能な第１連結孔９ｄが形成されている。上下方向に隣接する各第１連結孔９ｄは、その中心を同一直線状に有するものであるのが望ましい。このような連結部９ｃは、連結手段３を挿通させる作業性が良好である。
【００４０】
図３及び図４に示されるように、本実施形態の第２ブラケット１０は、板状の本体部１０Ａと、本体部１０Ａから後方へ突出する支持部１０Ｂとにより、断面略Ｌ字状に形成されている。第２ブラケット１０は、支持部１０Ｂが天板Ｓ２の縁Ｓ３に当接するのが望ましい。第２ブラケット１０は、例えば、本体部１０Ａの前方に設けられた一対の締結部１０Ｃを含んでいる。本実施形態の第２ブラケット１０は、各締結部１０Ｃに、第２ネジ孔１０ａが形成されている。
【００４１】
本実施形態の第１取付手段５は、第１ブラケット９の第１ネジ孔９ａに取り付けられる一対の第１ボルト５Ａを含んでいる。本実施形態の第１ボルト５Ａは、取付ブラケット２が天板Ｓ２に取り付けられたときに、天板Ｓ２の縁Ｓ３の下方から締め付けることが可能である。第１ボルト５Ａは、例えば、六角ボルトが好適に採用される。第１ボルト５Ａは、例えば、六角穴付きボルトやノブであってもよい。このような第１取付手段５は、取付ブラケット２を天板Ｓ２に上下方向に強固に固定することができる。
【００４２】
本実施形態の第２取付手段６は、第１ブラケット９のネジ挿通孔９ｂに挿通され、第２ブラケット１０の第２ネジ孔１０ａに取り付けられる一対の第２ボルト６Ａを含んでいる。本実施形態の第２ボルト６Ａは、第１ブラケット９と第２ブラケット１０とを締め付けることが可能である。第２ボルト６Ａは、例えば、六角ボルトが好適に採用される。第２ボルト６Ａは、例えば、六角穴付きボルトやノブであってもよい。このような第２取付手段６は、取付ブラケット２を天板Ｓ２に前後方向に強固に固定することができる。
【００４３】
図６は、フレーム枠４の斜視図である。図２及び図６に示されるように、フレーム枠４は、例えば、金属材料により構成されている。本実施形態のフレーム枠４は、天板Ｓ２に取り付けられた取付ブラケット２に固定されたときに、天板Ｓ２の後方に配置される後部フレーム４Ａと、天板Ｓ２の幅方向の両外側に配置される一対の側部フレーム４Ｂとを含んでいる。このように本実施形態のフレーム枠４は、上方側から見たときに、前開放の略コ字状に形成されている。フレーム枠４は、さらに、各側部フレーム４Ｂの前端に位置するベルト支持部４Ｃを有するのが望ましい。
【００４４】
フレーム枠４の後部フレーム４Ａは、天板Ｓ２の後方の辺に沿って略直線状にのびるのが望ましい。後部フレーム４Ａには、持ち運び用のグリップ（図示省略）等が設けられていてもよい。このような後部フレーム４Ａは、取り扱いが容易である。
【００４５】
図３、図５及び図６に示されるように、フレーム枠４の後部フレーム４Ａは、上下方向に長い縦長の略矩形状の中空断面を有するのが望ましい。後部フレーム４Ａには、例えば、取付ブラケット２に取り付けられるときに連結手段３が挿通する一対の第２連結孔４ｂが形成されている。各第２連結孔４ｂは、それぞれ、後部フレーム４Ａを貫通しているのが望ましい。このようなフレーム枠４は、天板Ｓ２への取り付け、取り外し作業が容易である。
【００４６】
図３及び図５に示されるように、本実施形態の連結手段３は、取付ブラケット２の第１連結孔９ｄと後部フレーム４Ａの第２連結孔４ｂとを固定している。連結手段３は、取付ブラケット２及び後部フレーム４Ａを貫通するピン３Ａであるのが望ましい。ピン３Ａは、例えば、取付ブラケット２の第１連結孔９ｄと後部フレーム４Ａの第２連結孔４ｂとに挿通されるピン本体３ａと、ピン本体３ａよりも直径が大きいピン頭部３ｂとを含んでいる。
【００４７】
このようなピン３Ａは、取付ブラケット２とフレーム枠４とを連結したときに、ピン頭部３ｂが取付ブラケット２の連結部材９Ｅに当接することで、抜け落ちることがない。このため、本実施形態の連結手段３は、上方からピン３Ａを挿入するだけで、取付ブラケット２とフレーム枠４とを連結することができる。
【００４８】
図６に示されるように、フレーム枠４の各側部フレーム４Ｂは、フレーム枠４の端部分４ａを構成するのが望ましい。各側部フレーム４Ｂは、例えば、後部フレーム４Ａに一体に固着されている。側部フレーム４Ｂは、後部フレーム４Ａと同じ大きさの上下方向に長い縦長の略矩形状の中空断面であるのが望ましい。このような側部フレーム４Ｂは、縦方向の曲げに強く、また、幅方向の長さが小さくできるので、小型かつ軽量に構成され得る。
【００４９】
図７は、図２のＢ−Ｂ線の断面図である。図６及び図７に示されるように、本実施形態の側部フレーム４Ｂには、詳細が後述される位置決め部材１１の位置を変更自在に保持するための長孔４ｄと、複数の位置決め孔４ｅとが形成されている。長孔４ｄは、側部フレーム４Ｂを、左右方向に貫通するのが望ましい。本実施形態の位置決め孔４ｅは、各側部フレーム４Ｂに５つずつ形成されている。位置決め孔４ｅは、側部フレーム４Ｂの上面に形成されるのが望ましい。
【００５０】
図２、図６及び図７に示されるように、本実施形態の側部フレーム４Ｂは、天板Ｓ２に接して端部分４ａを支持する支持手段１２を含んでいる。支持手段１２は、天板Ｓ２の上面側に接する上面支持部１２Ａを含むのが望ましい。このような支持手段１２は、側部フレーム４Ｂの端部分４ａの位置を安定させることができる。
【００５１】
支持手段１２は、天板Ｓ２の下面側に接する下面支持部１２Ｂと、上面支持部１２Ａと下面支持部１２Ｂとを固定する支持ノブ１２Ｃとを含むのが望ましい。支持ノブ１２Ｃは、工具を用いることなく締結可能であるのが望ましい。このような支持手段１２は、フレーム枠４の取り付け、取り外しの際に工具が不要であり、作業時間を短縮することができる。
【００５２】
本実施形態の下面支持部１２Ｂは、側部フレーム４Ｂからの突出量が変更可能である。このような下面支持部１２Ｂは、フレーム枠４を一時的に取り付ける場合に、天板Ｓ２に接しない位置で固定して、フレーム枠４の取り付け作業をより容易することができる。一方、下面支持部１２Ｂは、上面支持部１２Ａと協働して天板Ｓ２を挟み込むことで、より確実に端部分４ａの位置を安定させることができる。
【００５３】
図６に示されるように、下面支持部１２Ｂは、側部フレーム４Ｂの外側に延びる操作部１２ａを含むのが望ましい。このような下面支持部１２Ｂは、側部フレーム４Ｂに対する突出量の変更が容易である。
【００５４】
各ベルト支持部４Ｃは、例えば、板状である。本実施形態のベルト支持部４Ｃは、側部フレーム４Ｂの端部分４ａに一体に固着されている。ベルト支持部４Ｃは、その下方に吊り部材７を挿通するベルト挿通孔４ｃを有しているのが望ましい。このようなベルト支持部４Ｃは、簡易な構成で、吊り部材７を確実に支持することができる。
【００５５】
本実施形態のフレーム枠４の一対の側部フレーム４Ｂのそれぞれには、吊り部材７が連結される位置決め部材１１が設けられている。位置決め部材１１は、側部フレーム４Ｂに対する位置を容易に変更可能に構成されるのが望ましい。このため、踏み板８のプールＰの水面Ｈ（図１に示す）に対する高さは、吊り部材７の長さ調整のみならず、位置決め部材１１の位置を調節することによっても変更可能である。
【００５６】
図６及び図７に示されるように、位置決め部材１１は、例えば、位置決めアーム１１Ａと、位置決めピン１１Ｂと、２本の固定ピン１１Ｃとを含んでいる。
【００５７】
本実施形態の位置決めアーム１１Ａは、例えば、側部フレーム４Ｂの上面及び左右の側面を覆うように、断面略コ字状で形成されている。位置決めアーム１１Ａの前端側は、枢軸１１Ｄにより、側部フレーム４Ｂの長孔４ｄに保持されるのが望ましい。枢軸１１Ｄは、例えば、一組のボルトとナットとから構成されている。このような位置決めアーム１１Ａは、踏み板８の高さの調整が容易である。
【００５８】
位置決め部材１１は、例えば、枢軸１１Ｄが挿通されるスライダー１１Ｅを含んでいる。スライダー１１Ｅは、断面形状が側部フレーム４Ｂの断面形状に相似であるのが望ましい。本実施形態のスライダー１１Ｅは、側部フレーム４Ｂ内にスライド自在に挿入されている。このようなスライダー１１Ｅは、枢軸１１Ｄの向きを安定させることができ、位置決めアーム１１Ａの操作性を向上させることができる。
【００５９】
位置決めピン１１Ｂは、側部フレーム４Ｂの複数の位置決め孔４ｅのいずれかに挿入可能に設けられている。本明細書では、位置決めピン１１Ｂが側部フレーム４Ｂのいずれかの位置決め孔４ｅに挿入された状態を、位置決め部材１１の固定状態という。一方、位置決めピン１１Ｂがいずれの位置決め孔４ｅにも挿入されていない状態を、位置決め部材１１の開放状態という。
【００６０】
図８は、開放状態の位置決め部材１１を示す断面図である。図７及び図８に示されるように、位置決め部材１１は、例えば、枢軸１１Ｄを支点として回転されることで、開放状態と固定状態とを容易に変更可能である。本実施形態の位置決め部材１１は、開放状態にすることによって、側部フレーム４Ｂに対し、その前後方向の位置をスムーズに変更することが可能である。
【００６１】
本実施形態の位置決め部材１１は、枢軸１１Ｄの移動範囲が、側部フレーム４Ｂに形成された長孔４ｄを移動可能な範囲に制限されるので、側部フレーム４Ｂから外れることがない。このような位置決め部材１１は、操作が容易であり、側部フレーム４Ｂに対する位置を簡単に変更可能である。
【００６２】
図７に示されるように、２本の固定ピン１１Ｃは、例えば、前後方向に隙間をあけて平行に固定されている。固定ピン１１Ｃは、吊り部材７を連結するためのものである。本実施形態の吊り部材７は、その中間部７Ａが２本の固定ピン１１Ｃ間に通される。固定ピン１１Ｃ間に通された中間部７Ａには、浮動ピン１３が挿入されるのが望ましい。
【００６３】
本実施形態の吊り部材７は、吊り部材７に張力が生じた際、２本の固定ピン１１Ｃと浮動ピン１３とにより、位置が固定される。このため、吊り部材７は、張力が生じることでその位置が確実に固定され、張力がゆるめられることで、容易に長さ調整をすることができる。
【００６４】
吊り部材７は、例えば、固定手段１４により長さが固定されてもよい。本実施形態の固定手段１４は、吊り部材７を挟み込むための一対の固定プレート１４Ａと、一対の固定プレート１４Ａを固定するための一対の固定ボルト１４Ｂとを含んでいる。このような固定手段１４は、吊り部材７の長さを固定するときに、確実に固定することができる。
【００６５】
図９は、踏み板８の分解斜視図である。図９に示されるように、本実施形態の踏み板８は、例えば、金属材料により構成され、内部に空間である中空部を有している。踏み板８の幅方向の両側には、中空部まで連通する一対のスリット８ａが設けられるのが望ましい。本実施形態の踏み板８は、幅方向の両側面に側壁８Ａを有している。側壁８Ａには、例えば、貫通穴８ｂが形成されている。本実施形態の貫通穴８ｂは、踏み板８の中空部に進入した水を外に排出する機能を有している。
【００６６】
吊り部材７の端部７Ｂは、例えば、ループ状に折り返されて縫製されている。ループ状の端部７Ｂは、スリット８ａから踏み板８内部に挿入されるのが望ましい。本実施形態の一対のスリット８ａは、吊り部材７の幅に略等しい幅を有している。このため、吊り部材７は、踏み板８に対し、幅方向に動くおそれが少なく、踏み板８を安定して吊り下げることができる。
【００６７】
本実施形態の吊り部材７の端部７Ｂは、踏み板８の中空部に位置するループ部内に支持棒１５が挿入されている。支持棒１５は、踏み板８の側壁８Ａの貫通穴８ｂから踏み板８の中空部に挿入されるのが望ましい。本実施形態の吊り部材７は、支持棒１５により、踏み板８から抜け出ることなく踏み板８を支持する。このような吊り部材７と踏み板８との連結構造は、故障や破損のおそれが少なく、背泳用スタート補助装置１の耐久性を向上させることができる。
【００６８】
支持棒１５は、その長さが踏み板８の側壁８Ａ間の長さに略等しいのが望ましい。このような支持棒１５は、支持棒１５端部と側壁８Ａとの隙間が少ないため、吊り部材７から抜け落ちるおそれが少ない。
【００６９】
踏み板８は、例えば、背泳者が足裏を当てる部分に、滑り止め８Ｂが設けられている。このため、踏み板８は、踏み板８を背泳者が強く蹴り出すときにも、足裏がずれにくく、背泳者が勢いよくスタートを行うことを可能としている。
【００７０】
図１０は、他の実施形態の背泳用スタート補助装置２０がスタート台Ｓ１に装着された状態の斜視図である。上述の実施形態と同一の機能を有する構成要素は、同一の符号が付されその説明が省略される。図１０に示されるように、この実施形態の背泳用スタート補助装置２０は、スタート台Ｓ１の天板Ｓ２の後方部分に取り付け可能な取付ブラケット２と、取付ブラケット２に、連結手段３を介して着脱自在に固定されるフレーム枠２１とを含んでいる。
【００７１】
フレーム枠２１の端部分２１ａには、例えば、変形自在な一対の吊り部材７を介して、横長の踏み板２２が連結されている。この実施形態の踏み板２２は、上述の踏み板８に対して、スリット（図示省略）の位置が異なるのみであるため、その説明が省略される。
【００７２】
この実施形態のフレーム枠２１は、上述のフレーム枠４と同様、後部フレーム２１Ａと、一対の側部フレーム２１Ｂと、各側部フレーム２１Ｂの前端に位置するベルト支持部２１Ｃとを含んでいる。このフレーム枠２１は、上述のフレーム枠４に対して、側部フレーム２１Ｂが短い。このようなフレーム枠２１は、よりコンパクトに形成することができ、端部分２１ａを支持する支持手段が不要である。
【００７３】
以上、本考案の実施形態について、詳述したが、本考案は例示の実施形態に限定されるものではなく、種々の態様に変形して実施し得るのは言うまでもない。
【符号の説明】
【００７４】
１    背泳用スタート補助装置
２    取付ブラケット
３    連結手段
４    フレーム枠
４ａ  端部分
５    第１取付手段
６    第２取付手段
７    吊り部材
８    踏み板
Ｐ    プール
Ｓ１    スタート台
Ｓ２    天板
Ｓ３    縁
【図１】
0003222841.tif 000003
【図２】
0003222841.tif 000004
【図３】
0003222841.tif 000005
【図４】
0003222841.tif 000006
【図５】
0003222841.tif 000007
【図６】
0003222841.tif 000008
【図７】
0003222841.tif 000009
【図８】
0003222841.tif 000010
【図９】
0003222841.tif 000011
【図１０】
0003222841.tif 000012